(57)【要約】      （修正有）【課題】存在する全ての「知覚・思考・反応能力・変動（存在のエネルギー形状）」をより精密に検査評価することが可能な測定方式と評価方法を提供する。【解決手段】検査評価対象が「知覚・思考・反応能力・変動（存在のエネルギー形状）のある存在するもの全てに対するものである」ことを特徴とする、「存在多次元多形状測定方式」と「相対偏位形状評価方式」を使用する。【選択図】図１
2007004220.tif 000002
【特許請求の範囲】
【請求項１】
検査評価対象が「知覚・思考・反応能力・変動（存在のエネルギー形状）のある存在するもの全てに対するものである」ことを特徴とする、「存在多次元多形状測定方式」と「相対偏位形状評価方式」である。
【請求項２】
前記請求項１記載の「存在多次元多形状測定方式」は、検査評価対象が「知覚・思考・反応能力・変動（存在のエネルギー形状）のある存在するもの全てに対するものである」ことを特徴とする。
【請求項３】
前記請求項１記載の「相対偏位形状評価方式」は、検査評価対象が「知覚・思考・反応能力・変動（存在のエネルギー形状）のある存在するもの全てに対するものである」ことを特徴とする。
【請求項４】
前記請求項２記載の「存在多次元多形状測定方式」は、「存在多次元配列組合せ表示方式」「質問式」であることを特徴とする。
【請求項５】
前記請求項２記載の「存在多次元多形状測定方式」は、「存在多次元配列組合せ表示方式」「回答式」であることを特徴とする。
【請求項６】
前記請求項２記載の「存在多次元多形状測定方式」は、「相対偏位形状評価方式」による「難易度選択方式」であることを特徴とする。
【請求項７】
前記請求項４記載の「存在多次元配列組合せ表示方式」「質問式」は、「多次元配列組合せ表示方式」「質問式」であることを特徴とする。
【請求項８】
前記請求項４記載の「存在多次元配列組合せ表示方式」「質問式」は、「多次元配列組合せ難易度方式」「質問式」であることを特徴とする。
【請求項９】
前記請求項４記載の「存在多次元配列組合せ表示方式」「質問式」は、「対象存在内共通知覚言語表現」「質問式」であることを特徴とする。
【請求項１０】
前記請求項４記載の「存在多次元配列組合せ表示方式」「質問式」は、「対象存在内共通多言語表現」「質問式」であることを特徴とする。
【請求項１１】
前記請求項５記載の「存在多次元配列組合せ表示方式」「回答式」は、「多次元配列組合せ表示方式」「回答選択式」であることを特徴とする。
【請求項１２】
前記請求項５記載の「存在多次元配列組合せ表示方式」「回答式」は、「多次元配列組合せ難易度方式」「回答選択式」であることを特徴とする。
【請求項１３】
前記請求項５記載の「存在多次元配列組合せ表示方式」「回答式」は、「対象存在内共通知覚言語表現」「回答選択式」であることを特徴とする。
【請求項１４】
前記請求項５記載の「存在多次元配列組合せ表示方式」「回答式」は、「対象存在内共通多言語表現」「回答選択式」であることを特徴とする。
【請求項１５】
前記請求項３記載の「相対偏位形状評価方式」は、
「太陽なが玉形状（コロナパターングラフ）表示」であることを特徴とする。
【請求項１６】
前記請求項１５記載の「太陽なが玉形状（コロナパターングラフ）表示」は、「回転式難易度選択方式」であることを特徴とする。
【請求項１７】
前記請求項１５記載の「太陽なが玉形状（コロナパターングラフ）表示」は、「３６０度難易度均等方式」であることを特徴とする。
【請求項１８】
前記請求項１５記載の「太陽なが玉形状（コロナパターングラフ）表示」は、「偏差式検査内容適性審査方式」であることを特徴とする。
【請求項１９】
前記請求項１５記載の「太陽なが玉形状（コロナパターングラフ）表示」は、「同期パターン調整方式」であることを特徴とする。
【請求項２０】
前記請求項１９記載の「同期パターン調整方式」は、「ドラム型同期パターン解析プログラム方式」であることを特徴とする。
【発明の詳細な説明】
【技術分野】
【０００１】
この発明は、検査評価対象が「知覚・思考・反応能力・変動（存在のエネルギー形状）のある存在するもの全てに対するものである」、「知覚・思考・反応能力・変動（存在のエネルギー形状）」の「測定方式」とその「評価方法」に関する。
【背景技術】
【０００２】
従来の「知覚・思考・反応能力・変動（存在のエネルギー形状）のある存在するもの全てに対する」「測定方式」とその「評価方法」は、個々の「知覚・思考・反応能力・変動（存在のエネルギー形状）」を軽視したものである。
【０００３】
また、「評価方法」は「全体的な位置的評価方法」で個々の「知覚・思考・反応能力・変動（存在のエネルギー形状）」を軽視したものである。
【発明の開示】
【発明が解決しようとする課題】
【０００４】
しかしながら、以上の技術によれば、個々の検査対象の「知覚・思考・反応能力・変動（存在のエネルギー形状）」の一部分しか判断できず、本来個々の存在がもつ「知覚・思考・反応能力・変動（存在のエネルギー形状）」を評価出来るものでは無いことが多い。そこで、この発明は、存在する全ての「知覚・思考・反応能力・変動（存在のエネルギー形状）」をより精密に検査評価することを提供することを課題とする。
【課題を解決するための手段】
【０００５】
以上の課題を解決するために、第一発明は、検査評価対象が「知覚・思考・反応能力・変動（存在のエネルギー形状）のある存在するもの全てに対する」ことを特徴とする、「存在多次元多形状測定方式」と「相対偏位形状評価方式」である。
【０００６】
また、第二発明は、検査評価対象が「知覚・思考・反応能力・変動（存在のエネルギー形状）のある存在するもの全てに対するものであることを特徴とする、「存在多次元多形状測定方式」である。
【０００７】
また、第三発明は、検査評価対象が「知覚・思考・反応能力・変動（存在のエネルギー形状）のある存在するもの全てに対するものであることを特徴とする、「相対偏位形状評価方式」である。
【０００８】
また、第四発明は、「存在多次元配列組合せ表示方式」「質問式」であることを特徴とする、「存在多次元多形状測定方式」である。
【０００９】
また、第五発明は、「存在多次元配列組合せ表示方式」「回答式」であることを特徴とする、「存在多次元多形状測定方式」である。
また、第六発明は、「相対偏位形状評価方式」による「難易度選択方式」であることを特徴とする、「存在多次元多形状測定方式」である。
【００１０】
また、第七発明は、「多次元配列組合せ表示方式」「質問式」であることを特徴とする、「存在多次元配列組合せ表示方式」「質問式」である。
また、第八発明は、「多次元配列組合せ難易度方式」「質問式」であることを特徴とする、「存在多次元配列組合せ表示方式」「質問式」である。
【００１１】
また、第九発明は、「対象存在内共通知覚言語表現」「質問式」であることを特徴とする、「存在多次元配列組合せ表示方式」「質問式」である。
また、第十発明は、「対象存在内共通多言語表現」「質問式」であることを特徴とする、「存在多次元配列組合せ表示方式」「質問式」である。
【００１２】
また、第十一発明は、「多次元配列組合せ表示方式」「回答選択式」であることを特徴とする。「存在多次元配列組合せ表示方式」「回答式」である。
また、第十二発明は、「多次元配列組合せ難易度方式」「回答選択式」であることを特徴とする。「存在多次元配列組合せ表示方式」「回答式」である。
【００１３】
また、第十三発明は、「対象存在内共通知覚言語表現」「回答選択式」であることを特徴とする、「存在多次元配列組合せ表示方式」「回答式」である。
また、第十四発明は、「対象存在内共通多言語表現」「回答選択式」であることを特徴とする、「存在多次元配列組合せ表示方式」「回答式」である。
【００１４】
また、第十五発明は、「太陽なが玉形状（コロナパターングラフ）表示」であることを特徴とする、「相対偏位形状評価方式」である。
また、第十六発明は、「回転式難易度選択方式」であることを特徴とする、「太陽なが玉形状（コロナパターングラフ）表示」である。
【００１５】
また、第十七発明は、「３６０度難易度均等方式」であることを特徴とする、「太陽なが玉形状（コロナパターングラフ）表示」である。
また、第十八発明は、「偏差式検査内容適性審査方式」であることを特徴とする、「太陽なが玉形状（コロナパターングラフ）表示」である。
【００１６】
また、第十九発明は、「同期パターン調整方式」であることを特徴とする、「太陽なが玉形状（コロナパターングラフ）表示」である。
また、第二十発明は、「ドラム型同期パターン解析プログラム方式」であることを特徴とする、「同期パターン調整方式」である。
【発明の効果】
【００１７】
第一発明、第二発明、第三発明、第四発明、第五発明、第六発明、第七発明、第八発明、第九発明、第十発明、第十一発明、第十二発明、第十三発明、第十四発明、第十五発明、第十六発明、第十七発明、第十八発明、第十九発明または第二十発明によれば、検査評価対象が「知覚・思考・反応能力・変動（存在のエネルギー形状）のある存在するもの」全てに対することを特徴とする、「存在多次元多形状測定」と「相対偏位形状評価」が可能になる。つまり、存在する全ての「知覚・思考・反応能力・変動（存在のエネルギー形状）」をより精密に検査評価することが可能となる。
【発明を実施するための最良の形態】
【００１８】
この発明の一実施形態を、「相対偏位形状評価方式」の「太陽なが玉形状（コロナパターングラフ）表示」でもって図１に示す。
【００１９】
この発明の一実施形態を、「存在多次元多形状測定方式」の「多次元配列組合せ表示方式」の、1次元（直列配列）図２，２次元（平面配列）図３、3次元（立体配列）図４、多次元は同様処理をする、に示す。
【００２０】
この発明の一実施形態を、「存在多次元多形状測定方式」の「多次元配列組合せ難易度方式」でもって図５に示す。
【００２１】
この発明の一実施形態を、「存在多次元多形状測定方式」の「対象存在内共通知覚言語表現」でもって図６に示す。
【００２２】
この発明の一実施形態を、「存在多次元多形状測定方式」の「対象存在内共通多言語表現」でもって図７に示す。
【００２３】
この発明の一実施形態を、「存在多次元多形状測定方式」の「多次元配列組合せ表示方式」「回答選択式」でもって図８に示す。
【００２４】
この発明の一実施形態を、「太陽なが玉形状（コロナパターングラフ）表示」の「回転式難易度選択方式」でもって図９に示す。
【００２５】
この発明の一実施形態を、「太陽なが玉形状（コロナパターングラフ）表示」の「３６０度難易度均等方式」でもって図１０に示す。
【００２６】
この発明の一実施形態を、「太陽なが玉形状（コロナパターングラフ）表示」の「偏差式検査内容適性審査方式」でもって図１１に示す。
【００２７】
この発明の一実施形態を、「太陽なが玉形状（コロナパターングラフ）表示」の「同期パターン調整方式」でもって図１２に示す。
【００２８】
この発明の一実施形態を、「同期パターン調整方式」の「ドラム型同期パターン解析プログラム方式」でもって図１３に示す。
【００２９】
この発明の一実施形態を、「太陽なが玉形状（コロナパターングラフ）表示」の「コロナパターンイメージ変換」でもって図１４に示す。
【００３０】
この発明の一実施形態を、「プログラム作成フロー」でもって図１５に示す。
【００３１】
この発明の一実施形態を、「申請構成図」でもって図１６に示す。
【００３２】
図１の「太陽なが玉形状（コロナパターングラフ）表示」詳細について。
【００３３】
まず、座標中心、零点１Ａ０１を基点にします。
【００３４】
次に検査項目全体の円周軸となる（次元）のなが玉表示規準円、最高点１Ａ０２をとります。
【００３５】
次に検査項目の辺の軸となる（次元）のなが玉表示規準円、標準偏差値５０ライン１Ａ０３を表示します。これは３６０表示で、０°が難易度０つまり１００パーセント（得点が高い）を示し、３６０°が難易度１００つまり０パーセント（得点が低い）を示します。（左右どちら周りでも選択できますが、説明では右回転を使用します。）、これを最高点１Ａ０２からの比率でなが玉表示ライン、標準偏差値５０ライン１Ａ０３を表示します。
【００３６】
具体的には、項目全体の最大点が０°で、その７５パーセントなら９０°、５０パーセントなら１８０°、２５パーセントなら２７０°となり、最大点が半径１００パーセント、９０°で半径７５パーセント、１８０°で半径５０パーセント、２７０°で半径２５パーセント、３６０°で半径０パーセントとなります「360°難易度比率式」。
【００３７】
次に各検査項目軸１Ａ０４を上記「360°難易度比率式」で半径と表示角度を決め表示します。
【００３８】
次に検査結果の評価偏差値１Ａ０５を表示します。検査表示軸１Ａ０４上に、なが玉表示ライン、標準偏差値５０ライン１Ａ０３より上か、下か、同じかで表示分けをします。
【００３９】
表示分け方法は、「多次元多形状選択方式」を取り入れます。
【００４０】
具体的には、検査回数ごとの色分け（赤、青、黄色、等）、表示形態（矢印、棒、ハートマーク、等）、表示音（ビープ音、ロック、クラシック、等）、を選択します。
【００４１】
表示の位置は各項目平均からの差をなが玉表示ライン、標準偏差値５０ライン１Ａ０３からの比率で上下させます。
【００４２】
具体的には、評価偏差値１Ａ０５が4０点で、項目平均４５点より下なら、表示位置は、平均の１−（４５-４０）/４５＝０．８９つまり８９パーセントで、４５点*０.８９＝４０の位置となります。
【００４３】
また、最大評価点１２０、評価偏差値１Ａ０５が８０点で、項目平均４５点より上なら、表示位置は、なが玉表示ライン、標準偏差値５０ライン１Ａ０３からの外幅（１２０-４５）＝７５、平均からの差８０-４５＝３５、外幅からの比率３５/７５＝０．４６つまり４６パーセント、よって平均に外幅の４６パーセントをたした数が表示位置となる。４５+（７５*０．４６）＝７９．５の位置です。
【００４４】
そして、平均なら、なが玉表示ライン、標準偏差値５０ライン１Ａ０３上になります。
【００４５】
次に、各検査結果の偏差値表示目安のための円周表示をします。検査結果のコロナパターン表示規準円、標準偏差５０ライン１Ａ０６の円周表示、検査結果のコロナパターン表示偏差値６０ライン１Ａ０７の円周表示、検査結果のコロナパターン表示偏差値４０ライン１Ａ０８の円周表示、検査結果のコロナパターン表示偏差値５５ライン１Ａ０９の円周表示、検査結果のコロナパターン表示偏差値４５ライン１Ａ１０の円周表示、を表示します。
【００４６】
規準表示法は多次元多形状選択式として任意の変動率を設定します。説明のため平面処理を顧慮し、「平均比率式」をとります。
【００４７】
なが玉表示規準円、最高点１Ａ０２の円半径を長さ６/６とした場合、
【００４８】
検査結果のコロナパターン表示規準円、標準偏差値５０ライン１Ａ０６の円半径は、８/６です。検査結果のコロナパターン表示準偏差６０ラインの円半径は、１２/６です。検査結果のコロナパターン表示準偏差４０ラインの円半径は、６/６です。
【００４９】
検査結果のコロナパターン表示準偏差５５ラインの円半径は、８/６です。検査結果のコロナパターン表示準偏差４５ラインの円半径は７/６です。
【００５０】
次に、検査結果の標準偏差値１Ａ１１を上記「平均比率式」に表示します。  以上です。  これが、相対偏位形状評価方式の太陽なが玉形状（コロナパターングラフ）表示の実施形態です。
なお、変動（存在のエネルギー形状）を評価する場合には、なが玉状ラインの表示は必要ありません。これより、正多角形としての表示が適切です。多次元多形状として、任意の形状を選択できます。
【００５１】
図2の「多次元配列組合せ表示方式」1次元（直列配列）詳細について。
【００５２】
検査項目・問題を表示するための方法を示します。１次元（直列配列）１配列２Ｂ０１の場合、１次元（直列配列）２配列２Ｂ０２の場合、１次元（直列配列）３配列２Ｂ０３、と同様に１次元（直列配列）内、多配列方向２Ｂ０４へと配列していきます。この多次元的に表示対象が増えることにより検査・問題内容を検査対象に合わせて組合せていきます。
【００５３】
図３の「多次元配列組合せ表示方式」２次元（平面配列）詳細について。
図２「多次元配列組合せ表示方式」1次元（直列配列）の２次元（平面配列）版です。
【００５４】
図４の「多次元配列組合せ表示方式」３次元（立体配列）詳細について。
図２「多次元配列組合せ表示方式」1次元（直列配列）の３次元（立体配列）版です。
【００５５】
図５の「多次元配列組合せ難易度方式」詳細について。
【００５６】
難易度の決定事項として２つの要素があります。１つは多次元（ルールが平行に存在すること）、２つめは配列（ルールが配列的に組み合わさること）（記憶と繰り返し処理）です。
【００５７】
１次元、多配列５Ｂ０１が１次元での配列の組合せを示しています。２次元、多配列５Ｂ０２が２次元での配列の組合せを示しています。３次元、多配列５Ｂ０３が3次元での配列の組合せを示しています。同様に多次元、多配列方向５Ｂ０６方向に配列の組合せをする事により難易度が決定します。
【００５８】
図６の「対象存在内共通知覚言語表現」詳細について。
【００５９】
知覚タイプＡ（６Ｃ０１）、知覚タイプＢ（６Ｃ０２）、知覚タイプＣ（６Ｃ０３）、知覚タイプＤ（６Ｃ０４）、知覚タイプＥ（６Ｃ０５）はそれぞれの知覚能力を示しています。人型ＤＮＡを持つ対象なら、視覚、聴覚、嗅覚、触覚、味覚等です。検査対象の存在枠により共通の知覚能力を選択することを共通知覚言語表現６Ｃ０６で示しています。（無知覚なら検査データの測定種類、又は、測定評価する存在の知覚を示します。）
【００６０】
図７の「対象存在内共通多言語表現」詳細について。
【００６１】
言語群（７Ｃ０６）は検査対象の存在枠を示しています。言語Ａ（７Ｃ０１）、言語Ｂ（７Ｃ０２）、言語Ｃ（７Ｃ０３）、言語Ｄ（７Ｃ０４）、言語Ｅ（７Ｃ０５）が検査対象個々の使用言語を示しています。（無知覚なら検査データの測定種類、又は、測定評価する存在の知覚を示します。）
【００６２】
たとえば、地球規模での初等教育システムならば、日本語、日本語点字、日本語手話、日本語ボディーランゲージ、フランス語、イタリア語、アラビア語、ロシア語、スペイン語、中国語、韓国語、ドイツ語、等全ての検査対象の使用言語に変換します。
【００６３】
図８の「多次元配列組合せ表示方式」「回答選択式」詳細について。
【００６４】
１次元（直列配列）、多配列方向８Ｂ０１が直列配列、２次元（平面配列）、多配列方向８Ｂ０２が平面配列、３次元（立体配列）、多配列方向８Ｂ０３が立体配列です。多次元的に配列していきます。
【００６５】
たとえば、１つめは答えに○をつける選択式、２つめは答えにチェックをつける、３つめは答えを記号で記入する。４つめは答えを数次で記入する、５つめは答えを画面クリック選択する等、検査対象が最適・最速で回答出来る方法を選択出来る様にします。（無生物なら多重測定方法を示します。）検査対象の本来持つ、「知覚・思考・反応能力・変動（存在のエネルギー形状）」を計測するためです。
【００６６】
重要なのは、検査対象の能力を的確に判断するために、答えが分かった場合最速、最短時間、最適に回答出来ることです。つまり答えが分かっていても、答えを記号が数字に置き換えたり、特定の入力形式を覚えたり、左利きなのに、回答記入欄（入力欄）が右側にしかない、神経マヒのため筆記具使用速度が遅い（チックを付けることしか出来ない。）等に対応します。
【００６７】
図９の「回転式難易度選択方式」詳細について。
【００６８】
全体評価中、特定検査対象の検査内容の難易度を決定するためのものです。適性難易度プラスマイナスゼロ度９Ａ０１から順に適性難易度プラス３００度９Ａ０１、適性難易度プラス３３０度９Ａ０３、と高難易度に変化します。また適性難易度プラスマイナスゼロ度９Ａ０４から順に適性難易度マイナス３０度９Ａ０５、適性難易度マイナス６０度９Ａ０６、と低難易度に変化します。
【００６９】
このモデルでは、右まわり「太陽なが玉形状（コロナパターングラフ）表示」を選んだため、３６０度表示で０度が低難易度、３６０°が高難易度になります。
【００７０】
図中の難易度スパイラルイメージ９Ａ０７の様に難易度をシフトすることによって、検査対象の難易度を決定します。スパイラル移動方式は「多次元多形状式」を取り入れ、ダイヤル式、バー選択式、数値クリック変動式、数値入力式、記号入力式等、選択出来るように配置します。
【００７１】
図１０の「３６０度難易度均等方式」詳細について。
【００７２】
図１０中難易度均等前１０Ａ０１が不均衡、難易度均等後１０Ａ０２が難易度均等処理済みとなります。３６０度均等方式により同難易度の問題があれば難易度を上下させたり、他の問題と差し替えたり、削除したりして調整します。（調整の特に必要の無い場合は選択可能です。）
【００７３】
図１１の「偏差式検査内容適性審査方式」詳細について。
【００７４】
図１１中、適性不良１１Ｄ０１が不良、適性良１１Ｄ０２が適性調整済みとなります。全体偏差値結果より偏差値での正比例型になる問題を適性とします。つまり全体評価から、高い偏差値の対象が高い点であり、低い偏差値の対象が低い点となる様にします。
【００７５】
図１２の「同期パターン調整方式」詳細について。
取り込み位置変換１２Ｄ０１について。
それぞれの次元が相関して変動する場合、同期をとるため、規準次元のシフト位置まで取込データ位置を移動します。１次元データパターンの基本次元取り込み位置１２Ｄ０１Ａに、２次元データパターンのプラスシフト取り込み位置１２Ｄ０２Ｂをシフトします、同様に３次元データパターンマイナスシフト取り込み位置１２Ｄ０３Ｃをシフトします。
【００７６】
規準偏差値シフト１２Ｄ０２について。
特定の偏差値以上、または以下の場合のみ、同期パターンが解析される場合に対応するためです。規準偏差値１２Ｄ０２Ａ（偏差値５０）、より上ならプラスシフト規準偏差値
１２Ｄ０２Ｂ側へとシフトします。同様に規準偏差値１２Ｄ０２Ａ（偏差値５０）、より下ならマイナスシフト規準偏差値１２Ｄ０２Ｃ側へとシフトします。
【００７７】
リバース変換１２Ｄ０３について。
同期パターンがマイナスの場合に対応するためです。次元パターンがマイナスの場合に同期する場合、解析のため、プラスに変換します（プラスは同時にマイナス変換します）。これにより、解析時にプラス側の数値、面積、形状としての解析ですみ、プログラム処理での効率や、作業員による視覚的解析がしやすくなります。
【００７８】
評価係数変換１２Ｄ０４について。
解析目的次元への影響度、解析効率を上げる、解析次元間、解析配列組合せでの影響度を調整する為、係数を掛け変換します。例えば偏差値変動が偏差値４９．９５から５０．０５しか無い場合等です。これにより、プログラム処理のみでなく、作業員による視覚解析がしやすくなります。
【００７９】
図１３の「ドラム型同期パターン解析プログラム方式」詳細について。
【００８０】
解析方式ドラム１３Ｅ０２詳細について。
各ドラム１枚が、各解析次元で、横円形直列配列が次元内要素です。処理効率や作業員の視覚的解析がし易い様に、各次元を階層式（複数次元に分ける）にすることも可能です。
【００８１】
例えば、時間次元なら、１次元、光年単位、配列（・・・、−３、−２、−１、０、＋１、＋２、＋３、・・・）、２次元１００００年、３次元１０００年、・・・・Ｘ次元年、Ｘ１次元月、Ｘ２次元日、Ｘ３次元時間、Ｘ４次元分、Ｘ５次元秒、Ｘ６次元ナノ、Ｘ７次元マイクロ等、検証データに合わせて設定します。
【００８２】
「同期パターン調整方式」より基本的次元でいうと、次の様になります。
【００８３】
取り込み位置変換１２Ｄ０１より、次元年、配列（・・・、−３、−２、−１、０、＋１、＋２、＋３、・・・）、次元月、配列（・・・、−３、−２、−１、０、＋１、＋２、＋３、・・・）、次元日、配列（・・・、−３、−２、−１、０、＋１、＋２、＋３、・・・）、次元時間、配列（・・・、−３、−２、−１、０、＋１、＋２、＋３、・・・）、次元分、配列（・・・、−３、−２、−１、０、＋１、＋２、＋３、・・・）、次元秒、配列（（・・・、−３、−２、−１、０、＋１、＋２、＋３、・・・）等
【００８４】
規準偏差値シフト１２Ｄ０２より、次元規準偏差値、配列（・・・、−３、−２、−１、０、＋１、＋２、＋３、・・・）となります。
リバース変換１２Ｄ０３より、次元リバース変換、配列（＋、−）となります。
評価係数変換１２Ｄ０４より、次元評価係数変換、配列（・・・、−０．３、−０．２、−０．１、０、＋０．１、＋０．２、＋０．３、・・・）となります。最近のＣＰＵスピードは速いので解析桁を細かくして階層を落として問題ないが。ただ３６２５次元解析など解析次元が増えていく場合は、計算スピードを計測して適宜に階層分けが必要です。
【００８５】
図１４の「コロナパターンイメージ変換」詳細について。
コロナパターン表示結果を視覚イメージに変換することにより解析評価しやすくするために有ります。まず、偏差値の変動幅を伸張幅イメージ変換１４Ａ０５により、変換表示します、次に偏差値の最大値を伸張最大値多形状変換１４Ａ０６します、これより偏差値５０ライン１４Ａ０７からの変位により全体評価します。
【００８６】
個人でのイメージ変換の時間次元での推移は伸張最大期１４Ａ０１、伸張収縮期１４Ａ０２、伸張安定期１４Ａ０３、伸張後退期１４Ａ０４となります。イメージ変換する事によりさらに解析しやすく処理判断スピードが速くなり、的確に判断できます。
【００８７】
図１５の「プログラム作成フロー」詳細について。
これがプログラム作成フローになります。
【００８８】
図１６の「申請構成図」詳細について。
これが申請構成図になります。
【実施例】
【００８９】
図１７多言語対応非言語基礎能力開発ランダム出力プログラムシート多言語選択画面
図１８多言語対応非言語基礎能力開発ランダム出力プログラムシート得点集計シート
図１９多言語対応非言語基礎能力開発ランダム出力プログラムシート得点取込フォーム
図２０多言語対応非言語基礎能力開発ランダム出力プログラムシート評価画面
図２１多言語対応非言語基礎能力開発ランダム出力プログラムシート版問題１（1次元直列配列表示、難易度1次元）
図２２多言語対応非言語基礎能力開発ランダム出力プログラムシート版問題２（1次元直列配列表示、難易度1次元）
図２３多言語対応非言語基礎能力開発ランダム出力プログラムシート版問題３（1次元直列配列表示、難易度1次元）
図２４多言語対応非言語基礎能力開発ランダム出力プログラムシート版問題４（1次元直列配列表示、難易度1次元）
図２５多言語対応非言語基礎能力開発ランダム出力プログラムシート版問題５（1次元直列配列表示、難易度1次元）
図２６多言語対応非言語基礎能力開発ランダム出力プログラムシート版問題６（1次元直列配列表示、難易度1次元）
図２７多言語対応非言語基礎能力開発ランダム出力プログラムシート版問題７（1次元直列配列表示、難易度1次元）
図２８多言語対応非言語基礎能力開発ランダム出力プログラムシート版問題８（1次元直列配列表示、難易度1次元）
図２９多言語対応非言語基礎能力開発ランダム出力プログラムシート版問題９（1次元直列配列表示、難易度1次元）
図３０多言語対応非言語基礎能力開発ランダム出力プログラムシート版問題１０（1次元直列配列表示、難易度1次元）
図３１多言語対応非言語基礎能力開発ランダム出力プログラムシート版問題１１（1次元直列配列表示、難易度1次元）
図３２多言語対応非言語基礎能力開発ランダム出力プログラムシート版問題１２（1次元直列配列表示、難易度1次元）
図３３多言語対応非言語基礎能力開発ランダム出力プログラムシート版問題１３（1次元直列配列表示、難易度1次元）
図３４多言語対応非言語基礎能力開発ランダム出力プログラムシート版問題１４（1次元直列配列表示、難易度1次元）
図３５多言語対応非言語基礎能力開発ランダム出力プログラムシート版問題１５（1次元直列配列表示、難易度1次元）
図３６多言語対応非言語基礎能力開発ランダム出力プログラムシート版問題１６（1次元直列配列表示、難易度1次元）
図３７多言語対応非言語基礎能力開発ランダム出力プログラムシート版問題１７（1次元直列配列表示、難易度1次元）
図３８多言語対応非言語基礎能力開発ランダム出力プログラムシート版問題１８（1次元直列配列表示、難易度1次元）
図３９多言語対応非言語基礎能力開発ランダム出力プログラムシート版問題１９（1次元直列配列表示、難易度1次元）
図４０多言語対応非言語基礎能力開発ランダム出力プログラムシート版問題２０（1次元直列配列表示、難易度1次元）
図４１多言語対応非言語基礎能力開発ランダム出力プログラムシート版問題２１（1次元直列配列表示、難易度1次元）
図４２多言語対応非言語基礎能力開発ランダム出力プログラムシート版問題２２（1次元直列配列表示、難易度1次元）
図４３多言語対応非言語基礎能力開発ランダム出力プログラムシート版問題２３（1次元直列配列表示、難易度1次元）
図４４多言語対応非言語基礎能力開発ランダム出力プログラムシート版問題２４（1次元直列配列表示、難易度1次元）
図４５多言語対応非言語基礎能力開発ランダム出力プログラムシート版問題２５（1次元直列配列表示、難易度３次元）
図４６多言語対応非言語基礎能力開発ランダム出力プログラムシート版問題２６（1次元直列配列表示、難易度２次元）
図４７多言語対応非言語基礎能力開発ランダム出力プログラムシート版問題２７（1次元直列配列表示、難易度1次元）
図４８多言語対応非言語基礎能力開発ランダム出力プログラムシート版問題２８（1次元直列配列表示、難易度1次元）
図４９多言語対応非言語基礎能力開発ランダム出力プログラムシート版問題２９（1次元直列配列表示、難易度1次元）
図５０多言語対応非言語基礎能力開発ランダム出力プログラムシート版問題３０（1次元直列配列表示、難易度1次元）
【００９０】
「実施形態の効果」
この実施形態によれば、検査対象を人を例に一個人だけ検査すると、個人の各検査項目に対する変動率を計測でき、またその偏差値の変化を時間（回答履歴）を追って表示（多次元多形状）（色分け等）することにより、各検査項目に対する将来の伸びる可能性等が判断できる。
【００９１】
また、同例を複数人による検査にすると、全体の変動率を計測でき、また、全体と個人を組合せると全体のなかでの個人の伸びる可能性・等が判断できる。
【００９２】
つまり、この「相対偏位形状評価方式」の「太陽なが玉形状（コロナパターングラフ）」をつかうことにより、検査対象となる、全ての「知覚・思考・反応能力・変動（存在のエネルギー形状）」のある存在の「存在のあり方」、「存在のかたち」を評価できるものである。
【００９３】
「存在多次元多形状測定方式」と「相対偏位形状評価方式」の効果について。従来の測定方法と評価法は因習的な（測定者側の一方的解釈の）概念を通しての「測定」と「評価」であるが、「存在多次元多形状測定方式」と「相対偏位形状評価方式」はまったく新しい概念である。
【００９４】
「存在多次元多形状測定方式」は、存在自体を次元レベルでの構成要素に細分化し、その存在自体の次元レベルでのエネルギー形状を測定するために、次元レベルで再構成するというものである。  また「相対偏位形状評価方式」はその次元レベルで再構成された、エネルギー形状をある次元（時間・空間）を通して変動しつづけるエネルギー体として、常に前のある次元（時間・空間）での形状に相対して、偏位しつづける「かたち」を表現するものである。
【００９５】
たとえば、知覚の「測定」はその生命体の思考レベルの次元まで細分化し、それを「評価」の為に次元レベルでの再構築するもでのである。言いかえるなら、測定と評価の為のものでなく、存在自体のエネルギー形状を次元レベルで再構築し表現する機能である。
【００９６】
「多次元配列組合せ表示方式」の効果について。
従来の概念では、測定評価する対象が個々に限定されており、存在自体の解釈がまったくなかったといってよい。個々の存在の全体的な次元での存在次元を表現する方法として、人の概念で言うならば３次元（立体空間）での多配列表現が必要になります。これにより次元レベルでの表現が可能になります。
【００９７】
「多次元配列組合せ難易度方式」の効果について。
これは、特に思考能力を測定する場合に効果的です。思考の要素の１つに、処理と記憶を繰り返す機能があります、これが配列にあたります。次に次元ですが、１つ１つの配列要素がそれぞれ多次元になります。思考能力の測定の場合なら、測定のルール１つ１つが次元で、複数のルールが１配列要素内に存在する場合、そのルールの数の多次元となるわけです。これによりあらゆる難易度の測定が可能となります。  そして、従来測定または、差別化できなかった、高知能、または知能障害等の差別化が出来ます。その結果、個々の能力・障害に適切な測定、評価、学習が可能となるのです。
【００９８】
「対象存在内共通知覚言語表現」「対象存在内共通多言語表現」「存在多次元配列組合せ表示方式」「回答式」の効果について。
これは、従来の測定方法と評価法は因習的な（測定者側の一方的解釈の）概念を通しての「測定と評価」であるために、切捨て、または不当評価されていたものの、能力を適性測定評価する中心となるもです。「対象存在内共通知覚言語表現」「対象存在内共通多言語表現」により、測定対象を大幅に拡大すると共に、それぞれの測定評価対象の能力を的確に判断することを可能とします。従来で、たとえるならば、筆記に不自由なものに筆記での共通測定での評価をその者の能力として決め付けてしまう。日本語が出来ないものへ日本語でのテストでの評価をそのものの能力と評価してしまう等です。  つまり、「対象存在内共通知覚言語表現」「対象存在内共通多言語表現」により、個々の知覚能力、言語能力に合わせた、測定が可能となり、さらに「存在多次元配列組合せ表示方式」「回答式」によるさまざまな形態の回答選択方式により、個々の存在の特質に合わせた本来の能力「存在のかたち」を測定評価することが可能となるのです。
【００９９】
「太陽なが玉形状（コロナパターングラフ）表示」の効果について。
「相対偏位形状評価方式」を表現するもっとも効果的表現方法です。なが玉は検査内容の有る次元（難易度等）を軸とした比率式円形表示であり、１目でその検査項目の難易度がわかります。これにより個々の存在の「存在のかたち」が形としてはっきり分かることとなります。  また外側のコロナパターンでは、偏差値の変動をある次元（時間等）を軸に表示することにより、変化傾向が測定できます。これもまた個々の存在の「存在のかたち」が形としてはっきり分かることとなります。  この独特の形状が後に述べる、「回転式難易度選択方式」や「同期パターン調整方式」の効果へとつながります。
【０１００】
「太陽なが玉形状（コロナパターングラフ）表示」の「回転式難易度選択方式」の効果
について。
次元概念とは無限にスパイラル状につづくものです。表示とは、その一部を切り取った表現でしかありません。このなが玉状のスパイラル表示はその様な概念を表現したものです。有る次元（難易度等）を軸にそれを回転しながらシフトすることにより、測定対象の特有の「存在のかたち」「存在の位置」を測定評価することが可能となります。また測定対象を自由に選択出来ることとなるのです。
【０１０１】
「太陽なが玉形状（コロナパターングラフ）表示」の「３６０度難易度均等方式」の効果について。
これにより、検査項目の全体的バランスをとり効果的に学習、測定、が出来ることとなります。また、全体評価からの個々の「存在のかたち」や「存在の位置」を測定、特定する場合に、効果的に少ない検査項目で可能となるわけです。
【０１０２】
「太陽なが玉形状（コロナパターングラフ）表示」の「偏差式検査内容適性審査方式」の効果について。
問題や検査項目の適性審査がこれにより可能となります。この適性が審査されないと、結果としての全体評価の信ぴょう性が薄れてくることになります。ただこれは測定存在の範囲により大きく変動するので、不適性であっても完全に削除するというものでも有りません、あくまでも測定存在範囲の変動に合わせた良適性を審査するものです。存在の評価には良い悪いはありません、あくまでも評価すべき「かたち」があるだけです。
【０１０３】
「太陽なが玉形状（コロナパターングラフ）表示」の「同期パターン調整方式」の効果
について。
これは、それぞれの測定次元の結果を、有る次元（時間）を軸に変位（偏差値の変動）パターンの同期性を解析し調整する機能です。この機能により、測定する側の存在（例えば人の知覚）による形としての解析が容易となります。つまり、リアルタイムデータの解析では判断しにくいものでも、同期するパターンの次元を関連づけて表現することにより、全体的な形のなかから特定形状として認識できる様になります。たとえば、地震を例にとると局地地震の発生１週間前より、断層にそって、磁気が乱れる、２４時間前に、大気中のイオンの濃度が特異変化する、発生３時間前、昆虫の異常行動、動植物の反応変化、各種自然現象、社会現象、等さまざまな現象が時間という次元をシフトする事により同期パターンとして認識解析される可能性がでてきます。全ての存在内の現象は相互に干渉しあっているということです。
【０１０４】
「ドラム型同期パターン解析プログラム方式」の効果について。
前述「同期パターン調整方式」をさらに多次元多形状式に実際に解析していくための実行プログラムです。次元考察を取り入れることによりさまざまな次元組合せと配列により、考えられうる限りの可能性を検証するものです。その次元には処理する順番、プロセス、測定側測定者（シュレーディンガーの猫）、測定時間帯、測定地点、考えられる全ての存在までもが含まれます。これにより、従来見落とされていた、測定対象や測定方法も再度確認できます。また、コロナパターン表示と同期表示させることにより、解析する存在（人としての視覚を通して）の解析がしやすくなります。これは「太陽なが玉形状（コロナパターングラフ）表示」の一機能にすぎません。実際の処理には、コロナパターン評価によるヒット率の高い次元をベースに解析していきます。
【０１０５】
「他の実施形態」
図１の実施形態では、円形表示であったが、「多次元多形状式」であるため、四角でも、３Ｄ立体図、音による組合せ等、評価する側の対象となる知覚能力に合わせ「多次元配列組合せ表示方式」で表示することが出来る。
【０１０６】
また、同様に変動率を測る円形偏差表示「平均比率式」も、偏差値によるものでなく、得点など、検査項目の指標となるものから任意に選択することができ、かつその表示基準値も変動させることができる。「多次元多形状式」である。
【産業上の利用可能性】
【０１０７】
学習プログラムを作り販売する。
たとえば非言語で作った場合、地球規模での統一した学習システムができ、かつその評価も個人の能力の細部にわたって、サポートできる。また、能力別に細部まで差別化することも可能です。
【０１０８】
スポーツ  集中力、判断力、スピードの向上。
対象者  スポーツ選手      
初等教育前  基礎能力
対象者  幼児、小学生
言語教育前  基礎能力
対象者  幼児、小学生
言語習得後  学習スピードの向上
対象者  学生、一般社会人
ボケ防止  
対象者  中高年、高齢者
医療      脳の機能障害、アルツハイマーの予防、
リハビリ、判定
対象者  患者、一般
学校・塾  生徒の授業集中力の強化。
対象者  生徒
工場・会社  作業員の作業精度・スピードの向上
対象者  作業員  会社員
【０１０９】
評価用プログラムを作り販売する。
自然現象、化学現象、ありとあらゆる、変動する現象を数値化してその変動率、つまりその存在するエネルギー形状を測定することにより、地震予知、気象予報、さまざまな、現象を解析することができる。
【０１１０】
「多次元配列組合せ表示方式」、「多次元配列組合せ難易度方式」により、分子、原子、薬剤等の組合せによる、新しい原子、分子、薬品の開発研究も出来る、なぜなら、「多次元配列組合せ表示方式」、「多次元配列組合せ難易度方式」とは、配列の組合せのみでなく、その組合せの順序、ものだけでなく、そのプロセス、時間、空間、全てを多次元に置換えその組合せを考えるからである。これをコロナパターングラフ「相対偏位形状評価方式」と組合せ、変位の高い次元をベースに、人工知能により自動処理させることも可能である。
【０１１１】
人工知能用教育プログラム。
「コロナパターングラフ」、「存在多次元多形状測定方式」と「相対偏位形状評価方式」、によれば高度高速思考する人口知能でも、その能力を細部まで検査し評価する事ができる。なぜなら、「存在多次元多形状測定方式」により難易度を多次元配列により無限にあげられるからである。
【０１１２】
音楽学習プログラム
「存在多次元多形状測定方式」の「多次元配列組合せ表示方式」より音を選び、１次元音階、２次元和音、３次元音色、等組合せる。
「存在多次元多形状測定方式」の「多次元配列組合せ難易度方式」でフレーズ、楽譜、を作成する。
「存在多次元多形状測定方式」の「対象存在内共通知覚言語表現」は聴覚を選択、楽器等を弾くなら、触覚、視覚も組合せる。
「存在多次元多形状測定方式」の「対象存在内共通多言語表現」は、使用言語、日本語、フランス語、ドイツ語、ロシア語等表現。
上記の様に（検査評価対象が「知覚・思考・反応能力・変動（存在のエネルギー形状）」のある存在するもの全てに対することを特徴とする、「存在多次元多形状測定方式」と「相対偏位形状評価方式」。）を順序だてて組み立てプログラムを構成していく。
【０１１３】
味覚学習プログラム
「存在多次元多形状測定方式」の「多次元配列組合せ表示方式」より味を選び、１次元材料（塩、砂糖等）、２次元（複合調味料、３次元熟成期間、等組合せる。
「存在多次元多形状測定方式」の「多次元配列組合せ難易度方式」で調理の順序
、調理時間、等を組合せる。
「存在多次元多形状測定方式」の「対象存在内共通知覚言語表現」は味覚を選択、レシピを書くなら、触覚、視覚も組合せる。
「存在多次元多形状測定方式」の「対象存在内共通多言語表現」は、使用言語、日本語、フランス語、ドイツ語、ロシア語等表現。
上記の様に（検査評価対象が「知覚・思考・反応能力・変動（存在のエネルギー形状）」のある存在するもの全てに対することを特徴とする、「存在多次元多形状測定方式」と「相対偏位形状評価方式」。）を順序だてて組み立てプログラムを構成していく。
【０１１４】
医療用プログラム。
患者のさまざまなデータ、食事量、各薬の量、睡眠時間、等数値化できるものを入れ、「存在多次元多形状測定方式」コロナパターングラフにより、患者の状態の変化を細部まで確認でき、変化・傾向等を予測できる。現在の医療の測定常識では観測データの同期性（リアルタイムでの測定）を中心にしているが、多次元形状で言う時間という次元に関しての配慮が薄い。患者が前日多量の飲酒をした。Ａ薬を多量に摂取した等です。伝達スピードの変化あるデータ項目（次元）はデータ取込位置の変更設定が必要です。また、別次元（別データ）としての取り込みも有益です。
【０１１５】
平行思考向上プログラム。
化学・物理・生化学系に従事するもののための平行思考法向上プログラムひも理論等、多次元思考するための、基礎的多次元思考方法に慣れていただきます。高知能者への更なる知能向上、思考スピードの向上を推進します。
【０１１６】
半植物状態患者への意思伝達プログラム、またその患者への学習プログラム
知覚能力が触覚のみの場合でも、検査が可能です。瞬きが１回ではい、２回でいいえ、筋肉の誇張ではい、緩和でいいえ、最近の医療技術では脳はパターンによる意思伝達と組合せることも可能です。
【０１１７】
社会現象、暴動、戦争等の危機管理プログラム
戦争、暴動等発生時、また発生前の社会現象を数値データとして取込、その事態の特定のパターン、形状を特定し、危機に備える、または未然に防ぐ機能をつくります。多次元のデータとしては、インフレ率、失業率、人口増加率、自殺者数、犯罪率、火災率、気象磁気変化、太陽のガンマ線、赤外線、重力変化、貯蓄率、さまざまなデータを対象とします。次元が増えるだけ正確に判断出来ます。これらをコロナパターングラフにより形状として評価します。形として判断することにより、人工知能（円を円と認識する、三角を三角として認識する能力）により監視させ、コロナパターンでの変位や形状が対象事態なら報告させます。また、対象事態を規準円に設定し、各次元の規準を偏差設定した場合は、人による監視も容易に出来ます。円（正多角形）に近くなったら対象事態ということです。
【０１１８】
漁獲量予想プログラム
気象状態、プランクトン量、水温、エルニーニョ現象、多次元データとして、さまざまなデータを取込、形として判断します。エルニーニョ現象等に関しては、時間軸をシフトさせる等の配慮も必要です。つまり伝達速度の変化に合わせてのデータ取込み位置を決定します。これらをコロナパターングラフによって評価します。
【０１１９】
地震予知プログラム
コロナパターングラフへのデータは、磁気、重力波、ガンマ線、赤外線、イオン濃度、地熱、大気成分、動物の行動変化、昆虫の行動変化、魚類の変化、気象変化、社会の犯罪率、病気の発生率、さまざまなデータを入力します。現在の常識的認識では計れない現象もデータとし計測した場合に同期変化するケースも発見されるかと考えられます。関連データと地震の時間的差が有る場合はその伝達速度に合わせて、取込データ位置（時間軸）を移動することが必要です。従来の技術では次元（データ要素）が増えると、計算に膨大な時間が掛かりましたが（数値項目の組合せ計算式）、コロナパターングラフによる形状監視なら、１プロセス（コロナパターングラフにより作成された多角形形状状態の対象データ群の図形モデル）ですみます。
【０１２０】
経費予想プログラム
経費の各データを次元として、人件費、交際費、備品、不動産、各データを細分化し取り入れます。これをコロナパターングラフによって解析します。
【０１２１】
計画進行速度・達成予想プログラム
計画の進行速度、達成率、遅延率、人、経費、資材の搬入率、等を次元要素として取り入れコロナパターングラフにより解析します。ＰＥＲＴパート（計画法の一つ）と組合せて作成するとその威力を発揮します。
【０１２２】
資金調達プログラム
資金調達方法の一つ一つを次元要素として取り入れます。資金調達種類、調達率、資金金額、資金形状（金、株、ファンド）、これらをコロナパターングラフによって解析します。ヒット率の高い次元から資金を調達します。ＰＥＲＴパート（計画法の一つ）と組合せて作成するとその威力を発揮します。
【０１２３】
人材資源育成プログラム
人材の採用、登用先、人材技能種類、能力、資格、業績達成率、営業率、営業額、人材コネクション率、政治・各団体への影響力さまざまなデータを次元データとして取り込みコロナパターングラフにより解析します。ヒット率の高い人材から投与採用します。また育成率の高い次元より育成していきます。ＰＥＲＴパート（計画法の一つ）と組合せて作成するとその威力を発揮します。
【０１２４】
戦争・ゲリラ対策用・停戦評価プログラム
時間的、地理的、占拠地域変動率、占拠面積、占拠地形種類、使用武器、部奇数、兵力、戦車数、ミサイル数、兵死者数、捕虜数、民間人殺傷数、家財資材破壊数、各損害数、指導幹部数、組織人数、等を次元要素として取りこんでコロナパターングラフによって評価・解析し、賠償額、停戦ライン、停戦期間、等を適切に判断し、合意のプロセスに組み込みます。
【０１２５】
宗教・民族紛争調整プログラム
時間的、地理的、占拠地域変動率、占拠面積、風習の地理的占有率、民族間婚姻数、婚姻率、等さまざまなデータを取りこんでコロナパターングラフで評価・解析し、時間的、歴史的、地理的次元等を配慮し、合意のプロセスを提示します。
【０１２６】
重力波による、（存在）宇宙構造解析プログラム
重力波観測ポイントを多数設けて、それぞれを次元として、データに取り込みます。相対性理論による重力波の伝達スピード（次元）による取り込みポイントのシフトは必要です。コロナパターングラフは円ですが、「多次元多形状式」を取り入れ、３Ｄ（立体、球）として、評価・解析することを勧めます。ちなみに、宇宙での地球の運動は複数重複スパイラル状態での空間移動です。長期に観測しつづけるとさまざまな構造が発見されます。解析には「太陽なが玉形状（コロナパターングラフ）表示」の「同期パターン調整方式」である「ドラム型同期パターン解析プログラム方式」がお勧めです。
【０１２７】
多次元多形状ライブラリーシステムプログラム
「存在多次元多形状測定方式」と「相対偏位形状評価方式」を取り入れた存在規模でのライブラリーシステムです。次元を、時間、空間（地理的位置）、知覚タイプ、言語タイプ、分類項目（十進法、デューイ法等）、インターネット式、電子図書、既存ライブラリーの電子化、等設定します。
【０１２８】
検索する人物（存在対象）の知覚タイプ、言語タイプ、に合わせて選択出来る様にします、また、検索する目としての対象知覚タイプ、言語タイプの選択をします、例で言うと有る存在が、人、や、蟻、等他の知覚タイプの目（知覚）を通して検索できる方式です。
【０１２９】
検索項目を次元とすることで、検索対象の時間、空間の設定ができ、その知覚タイプに合わせて検索できるシステムです。これは、既存のライブラリーでは、歴史（時間）的・地理的（空間）変動による、データの不一致、解釈法が異なることを解消するためです。
【０１３０】
このシステムによりあらゆる時代、地点、でのその時代の目を通しての、変動しつづける存在を理解することが出来ます、存在は常に変化し続けています。つまりこの存在世界を全てコピーし、検索体験できるシステムとなります。
【０１３１】
「相対偏位形状評価方式」により、必要性の高い（検索率の高い）ものから電子化していきます。
即実行できるものとしては、年度別のインターネット検索システムです。インターネットの検索内容も日々変化しています。既存のストラテジー（データ保存電子システム）に時間次元（年度項目・変化内容）を加えるだけで可能です。
【０１３２】
存在監視機能
大規模な存在の破壊、生物種の消滅、民族の消滅を、警告、防止、阻止するための監視機能です。「相対偏位形状評価方式」を取り入れ、各次元（存在項目）の変動を計測し、その変動率、パターンを特定次元（時間、空間等）を基礎に監視し、時間・空間的変動パターンを無視した変動率の変化がある場合に対応するシステムです。
【０１３３】
これは個人や国家の自由を監視抑制するためのものではありません。存在規模での破壊を防ぎ、存在の継続を推進するためのものです。例でいうと、原爆の使用（生態系の大規模破壊）、ユダヤ人大量殺害（民族・人種・ＤＮＡの消滅）などです。（時間・空間的変動率・変動係数の急激な変化）
【０１３４】
これは存在の継続、存在（宇宙）の消滅・衰退の前に新たに存在（宇宙）を作るか、新しい存在（宇宙）に既存の歴史を継続するために有ります。
【０１３５】
医薬品、食生活、生活習慣による複合影響解析プログラム
「存在多次元多形状測定方式」の「ドラム型同期パターン解析プログラム方式」による、複数の薬を投与している、食品に含まれる成分の患者への影響、タバコなど生活習慣の健康への影響を解析します。例えば、心筋梗塞患者は、納豆の成分納豆キナーゼの摂取が多いとその分ワーファリン（血液の流れを良くするくすり）の量が増える等、タバコの喫煙量ほか、生活習慣による複合影響によるガンその他への影響等、同期するパターンを解析し医療全般・健康医療へ役立てます。この解析により今まで検証されなかった、複合医薬品の影響が解析されます。
【０１３６】
憲法、法令、各法等、適性必要解析プログラム
次元として、解釈歪曲率、実行率、実行数、実行地域エリア、民間アンケートでの必要率、必要数、関連事象数、関連行政費用、関連行政員数、関連行政員時間単価、関連司法員数、関連判例数、関連社会現象、関連記事数、関連記事インターネット検索率・数、関連資料取り寄せ率・数、関連書籍・発行率・数等、を取り入れます。これらの変動率・変動値により、どの法が必要か、形骸化しているか、改正必要か、細分化すべきか等を解析し、肥大化する一方の法を整理し行政・司法費用を軽減し、煩雑な法を分かりやすくします。「相対偏位形状評価方式」によりヒット率の高いものから処理していきます。
【０１３７】
問題解決プログラム
「存在多次元多形状測定方式」の「ドラム型同期パターン解析プログラム方式」による新商品の開発、行政、司法、社会システム、あらゆる問題、の解決点解消法を検証します。解析方式ドラム１３Ｅ０２の次元に、各問題の解決方法例えば、サイズ、色、匂い、味、季節、形状、値段、販売方法、他の商品と組合せ方、材質、販売層、製造方、製造地域、限定販売方法等、次元として取り込み、その配列（赤、青、黄色等）の組合せを解析しヒット率の高い次元から検証していきます。
【０１３８】
世界標準義務教育システム用プログラム
世界標準多言語対応、形状相対評価、非言語多次元式、基礎能力開発による学習プログラムを作成し、初等教育にあてます。これにより地球規模での知的貧富の差を解消し、更なる向上を目指します。
【０１３９】
多言語対応非言語多次元式基礎能力による知的オリンピック競技プログラム
非言語多次元式基礎能力評価による国家単位での競技です。国家単位のコロナパターン表示でのなが玉状中心（目）が国政・経済の牽引の中心的役割をはたしています。この中心の平均偏差値によりそれぞれの国家を評価し、競うことにより、地球規模での全体基礎能力の向上を目指します。また、偏差値形状の小さい国から比率的に優遇して援助していきます。
【０１４０】
重力変化（空間の歪曲）解析プログラム
いろいろな物質を振動させ、重力変化（空間の歪曲）を解析します。現行技術でたとえるなら、ＳＳＴ（超電子加速器）によるグラビトン（重力要素）の検出のようなものです。キーとなるの１つ目は、振動数とその精度、２つ目は計測方法とその精度です。さまざまな物質、プロセス、処理時間、空間（計測地点）、重力、磁気等、を次元として取り込み、「ドラム型同期パターン解析プログラム方式」で処理していきます。実際の計測と共に、理論物理学を取り入れた立体イメージによるシュミレーション解析も、ＰＥＲＴ（計画法）を取り入れて平行処理させると、その実力を発揮します。注意、大規模装置だと、核融合や、存在の破壊につながる恐れがあります。宇宙空間での計測か、惑星単位での文化圏確立後に、勧めます。
【図面の簡単な説明】
【０１４１】
【図１】「相対偏位形状評価方式」の「太陽なが玉形状（コロナパターングラフ）表示」である。
【図２】「存在多次元多形状測定方式」の「多次元配列組合せ表示方式」の、1次元（直列配列）図である。
【図３】「存在多次元多形状測定方式」の「多次元配列組合せ表示方式」の、２次元（平面配列）図である。
【図４】「存在多次元多形状測定方式」の「多次元配列組合せ表示方式」の、3次元（立体配列）図である。
【図５】「存在多次元多形状測定方式」の「多次元配列組合せ難易度方式」図である。
【図６】「存在多次元多形状測定方式」の「対象存在内共通知覚言語表現」図である。
【図７】「存在多次元多形状測定方式」の「対象存在内共通多言語表現」図である。
【図８】「存在多次元多形状測定方式」の「多次元配列組合せ表示方式」「回答選択式」である。
【図９】「太陽なが玉形状（コロナパターングラフ）表示」の「回転式難易度選択方式」図である。
【図１０】「太陽なが玉形状（コロナパターングラフ）表示」の「３６０度難易度均等方式」図である。
【図１１】「太陽なが玉形状（コロナパターングラフ）表示」の「偏差式検査内容適性審査方式」である。
【図１２】「太陽なが玉形状（コロナパターングラフ）表示」の「同期パターン調整方式」である。
【図１３】「同期パターン調整方式」の「ドラム型同期パターン解析プログラム方式」である。
【図１４】「太陽なが玉形状（コロナパターングラフ）表示」の「コロナパターンイメージ変換」である。
【図１５】「存在多次元多形状測定方式」と「相対偏位形状評価方式」の「プログラム作成フロー」である。
【図１６】「申請構成図」である。
【図１７】多言語対応非言語基礎能力開発ランダム出力プログラムシート多言語選択画面である。
【図１８】多言語対応非言語基礎能力開発ランダム出力プログラムシート得点集計シートである。
【図１９】多言語対応非言語基礎能力開発ランダム出力プログラムシート得点取込フォームである。
【図２０】多言語対応非言語基礎能力開発ランダム出力プログラムシート評価画面である。
【図２１】多言語対応非言語基礎能力開発ランダム出力プログラムシート版問題１（1次元直列配列表示、難易度1次元）である。
【図２２】多言語対応非言語基礎能力開発ランダム出力プログラムシート版問題２（1次元直列配列表示、難易度1次元）である。
【図２３】多言語対応非言語基礎能力開発ランダム出力プログラムシート版問題３（1次元直列配列表示、難易度1次元）である。
【図２４】多言語対応非言語基礎能力開発ランダム出力プログラムシート版問題４（1次元直列配列表示、難易度1次元）である。
【図２５】多言語対応非言語基礎能力開発ランダム出力プログラムシート版問題５（1次元直列配列表示、難易度1次元）である。
【図２６】多言語対応非言語基礎能力開発ランダム出力プログラムシート版問題６（1次元直列配列表示、難易度1次元）である。
【図２７】多言語対応非言語基礎能力開発ランダム出力プログラムシート版問題７（1次元直列配列表示、難易度1次元）である。
【図２８】多言語対応非言語基礎能力開発ランダム出力プログラムシート版問題８（1次元直列配列表示、難易度1次元）である。
【図２９】多言語対応非言語基礎能力開発ランダム出力プログラムシート版問題９（1次元直列配列表示、難易度1次元）である。
【図３０】多言語対応非言語基礎能力開発ランダム出力プログラムシート版問題１０（1次元直列配列表示、難易度1次元）である。
【図３１】多言語対応非言語基礎能力開発ランダム出力プログラムシート版問題１１（1次元直列配列表示、難易度1次元）である。
【図３２】多言語対応非言語基礎能力開発ランダム出力プログラムシート版問題１２（1次元直列配列表示、難易度1次元）である。
【図３３】多言語対応非言語基礎能力開発ランダム出力プログラムシート版問題１３（1次元直列配列表示、難易度1次元）である。
【図３４】多言語対応非言語基礎能力開発ランダム出力プログラムシート版問題１４（1次元直列配列表示、難易度1次元）である。
【図３５】多言語対応非言語基礎能力開発ランダム出力プログラムシート版問題１５（1次元直列配列表示、難易度1次元）である。
【図３６】多言語対応非言語基礎能力開発ランダム出力プログラムシート版問題１６（1次元直列配列表示、難易度1次元）である。
【図３７】多言語対応非言語基礎能力開発ランダム出力プログラムシート版問題１７（1次元直列配列表示、難易度1次元）である。
【図３８】多言語対応非言語基礎能力開発ランダム出力プログラムシート版問題１８（1次元直列配列表示、難易度1次元）である。
【図３９】多言語対応非言語基礎能力開発ランダム出力プログラムシート版問題１９（1次元直列配列表示、難易度1次元）である。
【図４０】多言語対応非言語基礎能力開発ランダム出力プログラムシート版問題２０（1次元直列配列表示、難易度1次元）である。
【図４１】多言語対応非言語基礎能力開発ランダム出力プログラムシート版問題２１（1次元直列配列表示、難易度1次元）である。
【図４２】多言語対応非言語基礎能力開発ランダム出力プログラムシート版問題２２（1次元直列配列表示、難易度1次元）である。
【図４３】多言語対応非言語基礎能力開発ランダム出力プログラムシート版問題２３（1次元直列配列表示、難易度1次元）である。
【図４４】多言語対応非言語基礎能力開発ランダム出力プログラムシート版問題２４（1次元直列配列表示、難易度1次元）である。
【図４５】多言語対応非言語基礎能力開発ランダム出力プログラムシート版問題２５（1次元直列配列表示、難易度３次元）である。
【図４６】多言語対応非言語基礎能力開発ランダム出力プログラムシート版問題２６（1次元直列配列表示、難易度２次元）である。
【図４７】多言語対応非言語基礎能力開発ランダム出力プログラムシート版問題２７（1次元直列配列表示、難易度1次元）である。
【図４８】多言語対応非言語基礎能力開発ランダム出力プログラムシート版問題２８（1次元直列配列表示、難易度1次元）である。
【図４９】多言語対応非言語基礎能力開発ランダム出力プログラムシート版問題２９（1次元直列配列表示、難易度1次元）である。
【図５０】多言語対応非言語基礎能力開発ランダム出力プログラムシート版問題３０（1次元直列配列表示、難易度1次元）である。
【符号の説明】
【０１４２】
１Ａ０１  座標中心、零点
１Ａ０２  なが玉表示規準円、最高点
１Ａ０３  なが玉玉表示ライン、標準偏差値５０ライン
１Ａ０４  検査項目軸
１Ａ０５  評価偏差値
１Ａ０６  コロナパターン表示規準円、標準偏差値５０ライン
１Ａ０７  コロナパターン表示偏差値６０ライン
１Ａ０８  コロナパターン表示偏差値４０ライン
１Ａ０９  コロナパターン表示偏差値５５ライン
１Ａ１０  コロナパターン表示偏差値４５ライン
１Ａ１１  評価偏差値
２Ｂ０１  １次元（直列配列）１配列
２Ｂ０２  １次元（直列配列）２配列
２Ｂ０３  １次元（直列配列）３配列
２Ｂ０４  １次元（直列配列）内、多配列方向
３Ｂ０１  ２次元（平面配列）１配列
３Ｂ０２  ２次元（平面配列）２配列
３Ｂ０３  ２次元（平面配列）３配列
３Ｂ０４  ２次元（平面配列）内、多配列方向
４Ｂ０１  ３次元（立体配列）１配列
４Ｂ０２  ３次元（立体配列）２配列
４Ｂ０３  ３次元（立体配列）３配列
４Ｂ０４  ３次元（立体配列）内、多配列方向
５Ｂ０１  １次元、多配列
５Ｂ０２  ２次元、多配列
５Ｂ０３  ３次元、多配列
５Ｂ０４  ４次元、多配列
５Ｂ０５  ５次元、多配列
５Ｂ０６  多次元、多配列方向
６Ｃ０１  知覚タイプＡ
６Ｃ０２  知覚タイプＢ
６Ｃ０３  知覚タイプＣ
６Ｃ０４  知覚タイプＤ
６Ｃ０５  知覚タイプＥ
６Ｃ０６  共通知覚言語表現
７Ｃ０１  言語Ａ
７Ｃ０２  言語Ｂ
７Ｃ０３  言語Ｃ
７Ｃ０４  言語Ｄ
７Ｃ０５  言語Ｅ
７Ｃ０６  言語群
８Ｂ０１  １次元（直列配列）、多配列方向
８Ｂ０２  ２次元（平面配列）、多配列方向
８Ｂ０３  ３次元（立体配列）、多配列方向
９Ａ０１  適性難易度プラスマイナスゼロ度
９Ａ０２  適性難易度プラス３００度
９Ａ０３  適性難易度プラス３３０度
９Ａ０４  適性難易度プラスマイナスゼロ度
９Ａ０５  適性難易度マイナス３０度
９Ａ０６  適性難易度マイナス６０度
９Ａ０７  難易度スパイラルイメージ
１０Ａ０１  難易度均等前
１０Ａ０２  難易度均等後
１１Ｄ０１  適性不良
１１Ｄ０２  適性良
１２Ｄ０１  取り込み位置変換
１２Ｄ０１Ａ  基本次元取り込み位置  
１２Ｄ０２Ｂ  プラスシフト取り込み位置  
１２Ｄ０３Ｃ  マイナスシフト取り込み位置
１２Ｄ０２  規準偏差値シフト
１２Ｄ０２Ａ  規準偏差値  
１２Ｄ０２Ｂ  プラスシフト規準偏差値
１２Ｄ０２Ｃ  マイナスシフト規準偏差値
１２Ｄ０３  リバース変換
１２Ｄ０３Ａ  リバース基準値
１２Ｄ０３Ｂ  プラスマイナス変換
１２Ｄ０４  評価係数変換
１２Ｄ０４Ａ  評価係数変換値
１３Ｅ０１  現在確定・過去確定・未来予想データドラム
１３Ｅ０１Ａ  各解析目的次元ドラム
１３Ｅ０１Ｂ  各解析要素次元ドラム
１３Ｅ０１Ｃ  各解析目的次元解析前ドラム
１３Ｅ０２  解析方式ドラム
１３Ｅ０３  現在確定・過去確定・未来予想データ変換後ドラム
１３Ｅ０３Ａ  各解析目的次元ドラム
１３Ｅ０３Ｂ  各解析要素次元変換後ドラム
１３Ｅ０３Ｃ  各解析目的次元解析結果ドラム
１３Ｅ０４  ドラム平面図
１３Ｅ０４Ａ  現在確定データ
１３Ｅ０４Ｂ  過去確定データ
１３Ｅ０４Ｃ  未来予想データ
１４Ａ０１  伸張最大期
１４Ａ０２  伸張収縮期
１４Ａ０３  伸張安定期
１４Ａ０４  伸張後退期
１４Ａ０５  伸張幅イメージ変換  
１４Ａ０６  伸張最大値多形状変換
１４Ａ０７  偏差値５０ライン
１５Ｆ０１  測定方式
１５Ｆ０２  評価方式
１５Ｆ０３  難易度変更
【図２】
2007004220.tif 000003
【図３】
2007004220.tif 000004
【図６】
2007004220.tif 000005
【図７】
2007004220.tif 000006
【図１１】
2007004220.tif 000007
【図１５】
2007004220.tif 000008
【図１６】
2007004220.tif 000009
【図２１】
2007004220.tif 000010
【図２２】
2007004220.tif 000011
【図２３】
2007004220.tif 000012
【図２４】
2007004220.tif 000013
【図２５】
2007004220.tif 000014
【図２６】
2007004220.tif 000015
【図２７】
2007004220.tif 000016
【図２８】
2007004220.tif 000017
【図２９】
2007004220.tif 000018
【図３０】
2007004220.tif 000019
【図３１】
2007004220.tif 000020
【図３２】
2007004220.tif 000021
【図３３】
2007004220.tif 000022
【図３４】
2007004220.tif 000023
【図３５】
2007004220.tif 000024
【図３６】
2007004220.tif 000025
【図３７】
2007004220.tif 000026
【図３８】
2007004220.tif 000027
【図３９】
2007004220.tif 000028
【図４０】
2007004220.tif 000029
【図４１】
2007004220.tif 000030
【図４２】
2007004220.tif 000031
【図４３】
2007004220.tif 000032
【図４４】
2007004220.tif 000033
【図４５】
2007004220.tif 000034
【図４６】
2007004220.tif 000035
【図４７】
2007004220.tif 000036
【図４８】
2007004220.tif 000037
【図４９】
2007004220.tif 000038
【図５０】
2007004220.tif 000039
【図１】
2007004220.tif 000040
【図４】
2007004220.tif 000041
【図５】
2007004220.tif 000042
【図８】
2007004220.tif 000043
【図９】
2007004220.tif 000044
【図１０】
2007004220.tif 000045
【図１２】
2007004220.tif 000046
【図１３】
2007004220.tif 000047
【図１４】
2007004220.tif 000048
【図１７】
2007004220.tif 000049
【図１８】
2007004220.tif 000050
【図１９】
2007004220.tif 000051
【図２０】
2007004220.tif 000052